(57)【特許請求の範囲】
【請求項１】
上下方向に沿って建物外壁から突出するように設けられる袖枠の下部での排水構造であって、
前記袖枠を形材で構成すると共に、前記形材の下端面を覆うように装着され、該形材の下端面の外周縁部の少なくとも一部を覆う立上り形状を有するキャップ部材を備え、
前記キャップ部材は、その底面が前記形材の下端面との間に隙間を介して配置されることで水を流通可能な排水経路を内部に有し、
前記キャップ部材の底面の前記建物外壁から離間した位置には、前記排水経路内の水を外部に排出するための排水口が設けられていることを特徴とする排水構造。
【請求項２】
請求項１記載の排水構造において、
前記キャップ部材は、前記底面を貫通したねじによって前記形材の下端面に対して固定され、
前記キャップ部材の下面には、上方に凹むことで前記ねじの頭部を収容する段落ち部が設けられると共に、該段落ち部に前記排水口を設けたことを特徴とする排水構造。
【請求項３】
請求項２記載の排水構造において、
前記段落ち部は、前記排水経路における建物外壁側と該建物外壁側の反対側である先端との間に設けられており、
前記排水経路の前記先端及び前記段落ち部の少なくとも２箇所に前記排水口を設けたことを特徴とする排水構造。
【請求項４】
請求項２又は３記載の排水構造において、
前記段落ち部には、前記ねじの頭部の側部から前記排水口に向かって下方に突出したリブが設けられていることを特徴とする排水構造。
【請求項５】
請求項１又は２記載の排水構造において、
前記排水経路の建物外壁側の反対側である先端に前記排水口を設けたことを特徴とする排水構造。
【請求項６】
請求項１〜５のいずれか１項に記載の排水構造において、
前記キャップ部材の底面は、前記排水経路における建物外壁側から該建物外壁側の反対側である先端側に向かって次第に下方に傾斜していることを特徴とする排水構造。
【請求項７】
請求項１〜６のいずれか１項に記載の排水構造を備えることを特徴とする額縁。
【発明の詳細な説明】
【技術分野】
【０００１】
本発明は、上下方向に沿って建物外壁から突出するように設けられる袖枠の下部での排水構造及び該排水構造を備える額縁に関する。
【背景技術】
【０００２】
住宅や店舗等の建物の外壁に設けられた窓の意匠上のアクセントや日除け、隣地境界付近での遮視等を考慮し、或いは面格子の後付けを容易にするために、窓枠周囲の外壁から庇や袖枠等の壁部を突出させた額縁がある。この種の額縁としては、窓の四周を囲むように壁部を設けた四方枠、窓の上枠及び左右縦枠に沿って壁部を設けた三方枠、窓の上枠及び一方の縦枠に沿って壁部を設けたＬ字枠等がある。
【０００３】
例えば特許文献１には、窓から入り込む日射を遮蔽するために、窓の上枠及び一方の縦枠に沿って庇及び袖枠を外壁から突出させたＬ字枠の額縁が開示されている。この構成では、庇及び袖枠として、発泡ウレタン製の表層部を射出成形し、アルミニウム製の芯材を内部に埋設した構造を用いている。
【先行技術文献】
【特許文献】
【０００４】
【特許文献１】特開２０１１−７４５７６号公報
【発明の概要】
【発明が解決しようとする課題】
【０００５】
ところで、上記のような額縁において、例えば上下方向の袖枠を押出し成形で形成したアルミニウム等の形材で構成した場合、コストを低減し、製造効率を向上させることができるが、その上端面及び下端面の中空部（小口）を樹脂等のキャップ部材で覆う必要がある。
【０００６】
そこで、一般的な形材に装着されるキャップ部材と同様に、上下方向の形材の下端面及びその外周縁部を覆うような立上り形状を持ったキャップ部材を装着した場合、キャップ部材の立上り形状と形材の外面との間に雨水等が浸入することがある。そうすると、この部分に浸入した雨水等が形材の見込み方向に流通し、それが外壁側に溢れ出した場合には、建物の外壁をつたい外壁に筋状の汚れが付着する懸念がある。
【０００７】
本発明は、上記従来技術の課題を考慮してなされたものであり、建物外壁から突出した袖枠の下部での排水を管理し、建物外壁への汚れの付着を抑制することができる排水構造及び該排水構造を備える額縁を提供することを目的とする。
【課題を解決するための手段】
【０００８】
本発明に係る排水構造は、上下方向に沿って建物外壁から突出するように設けられる袖枠の下部での排水構造であって、前記袖枠を形材で構成すると共に、前記形材の下端面を覆うように装着され、該形材の下端面の外周縁部の少なくとも一部を覆う立上り形状を有するキャップ部材を備え、前記キャップ部材は、その底面が前記形材の下端面との間に隙間を介して配置されることで水を流通可能な排水経路を内部に有し、前記キャップ部材の底面の前記建物外壁から離間した位置には、前記排水経路内の水を外部に排出するための排水口が設けられていることを特徴とする。
【０００９】
このような構成によれば、形材で構成された袖枠の外面をつたって流れ落ちた雨水等が、形材の外面とキャップ部材の立上り形状との間に浸入した場合であっても、この浸入した雨水等をキャップ部材の底面と形材の下端面との間に設けた隙間によって形成した排水経路を流通させ、建物外壁から離間した位置で排水口から外部に排出させることができる。このため、形材の外面とキャップ部材の立上り形状との間に浸入した雨水等が建物外壁側へと溢れ出し、建物外壁を筋状に流れ落ちることを防止でき、建物外壁に筋状の汚れが付着することを抑制できる。
【００１０】
本発明に係る排水構造において、前記キャップ部材は、前記底面を貫通したねじによって前記形材の下端面に対して固定され、前記キャップ部材の下面には、上方に凹むことで前記ねじの頭部を収容する段落ち部が設けられると共に、該段落ち部に前記排水口を設けた構成としてもよい。これにより、キャップ部材の取付用のねじが外観上で見え難くなり、意匠性が向上する。しかも、段落ち部に排水口を設けることで、キャップ部材の取付用のねじを挿通させる開口を排水口に兼用できるため、排水口の設置数を実質的に低減することができ、意匠性が一層向上する。
【００１１】
本発明に係る排水構造において、前記段落ち部は、前記排水経路における建物外壁側と該建物外壁側の反対側である先端との間に設けられており、前記排水経路の前記先端及び前記段落ち部の少なくとも２箇所に前記排水口を設けてもよい。これにより、排水経路での排水性能が一層向上する。
【００１２】
本発明に係る排水構造において、前記段落ち部には、前記ねじの頭部の側部から前記排水口に向かって下方に突出したリブが設けられていてもよい。そうすると、キャップ部材の取付用のねじを外観上で一層目立たなくすることができる。
【００１３】
本発明に係る排水構造において、前記排水経路における建物外壁側の反対側である先端に前記排水口を設けた構成としてもよい。これにより、排水経路に流入した雨水等を建物外壁から最も離間した位置で排出することができる。
【００１４】
本発明に係る排水構造において、前記キャップ部材の底面は、前記排水経路における建物外壁側から該建物外壁側の反対側である先端側に向かって次第に下方に傾斜した構成であってもよい。これにより、排水経路に流入した雨水等をより円滑に流通させて排水口から排出することができる。
【００１５】
本発明に係る額縁は、上記構成の排水構造を備えることを特徴とする。
【発明の効果】
【００１６】
本発明によれば、袖枠を構成する形材の外面とキャップ部材の立上り形状との間に浸入した雨水等が建物外壁側へと溢れ出し、建物外壁を筋状に流れ落ちることを防止でき、建物外壁に筋状の汚れが付着することを抑制できる。
【図面の簡単な説明】
【００１７】
【図１】図１は、本発明の一実施形態に係る排水構造を備えた額縁の縦断面図である。
【図２】図２は、図１に示す額縁の横断面図である。
【図３】図３は、下部キャップの構成図であり、図３（Ａ）は、袖枠部の下端部に装着される下部キャップを上方から見た斜視図であり、図３（Ｂ）は、図３（Ａ）に示す下部キャップを下方から見た斜視図である。
【図４】図４は、下部キャップの袖枠部への取付状態を示す図であり、図４（Ａ）は、側面図であり、図４（Ｂ）は、正面図である。
【図５】図５は、本実施形態に係る排水構造による雨水等の排水作用を示す説明図であり、図５（Ａ）は、袖枠部の下端部に装着される下部キャップの平面図であり、図５（Ｂ）は、図５（Ａ）に示す下部キャップの側面図である。
【図６】図６は、段落ち部からリブを省略した構成例を示す要部拡大側面図である。
【図７】図７は、傾斜した底面を有する下部キャップの側面図である。
【図８】図８は、上部キャップの説明図であり、図８（Ａ）は、上部キャップを袖枠部の上端部に装着した状態を示す要部拡大斜視図であり、図８（Ｂ）は、図８（Ａ）に示す上部キャップを下方から見た斜視図である。
【図９】図９は、本実施形態に係る排水構造を備えた三方枠の額縁の縦断面図である。
【図１０】図１０は、図９に示す額縁の横断面図である。
【図１１】図１１は、図９に示す額縁に設けられる下部キャップの構成図であり、図１１（Ａ）は、下部キャップを上方から見た斜視図であり、図１１（Ｂ）は、図１１（Ａ）に示す下部キャップを下方から見た斜視図である。
【図１２】図１２は、図９に示す額縁の一部切断斜視図である。
【図１３】図１３は、図９に示す袖枠部の下部を拡大した正面図である。
【図１４】図１４は、変形例に係る下部キャップの構成図であり、図１４（Ａ）は、変形例に係る下部キャップを上方から見た斜視図であり、図１４（Ｂ）は、図１４（Ａ）に示す下部キャップの側面図である。
【図１５】図１５は、本実施形態に係る排水構造を備えたＬ字枠の額縁の横断面図である。
【発明を実施するための形態】
【００１８】
以下、本発明に係る排水構造について、この構造を備える額縁との関係で好適な実施の形態を挙げ、添付の図面を参照しながら詳細に説明する。
【００１９】
図１は、本発明の一実施形態に係る排水構造１０を備えた額縁１２の縦断面図であり、図２は、図１に示す額縁１２の横断面図である。
【００２０】
図１及び図２に示すように、額縁１２は、建物１４の躯体の開口部１４ａに取り付けられた窓枠１６の周囲において、建物１４の外壁（建物外壁）１８から室外方向へと突出するように設けられた４枚の壁部（形材）２０ａ〜２０ｄを有する四方枠である。詳細は後述するが、排水構造１０は、例えば三方枠の額縁１２ＡやＬ字枠の額縁１２Ｂにも有効に適用できる。なお、本実施形態では、壁部２０ａ〜２０ｄで構成される枠状体を額縁１２（１２Ａ，１２Ｂ）と呼んで説明するが、実際上は該枠状体と並設される窓枠１６（及び障子）も含めて額縁１２（１２Ａ，１２Ｂ）として取り扱われる場合もある。
【００２１】
窓枠１６は、上枠１６ａ、下枠１６ｂ及び左右の縦枠１６ｃ，１６ｄを四周枠組みすることによって構成され、開口部１４ａに対して複数の固定ねじ２２を用いて固定されている。
【００２２】
上枠１６ａ及び下枠１６ｂには、互いに対向するように突出形成され、室内外方向に並んだ一対のレール２３，２４が設けられている。本実施形態の場合、図示しないガラス板等の面材を保持した障子がレール２３，２４にそれぞれスライド可能に設けられることで、窓枠１６は引違い窓を構成する。窓枠１６は、引違い窓以外、例えばすべり出し窓や嵌め殺し窓を構成するものであってもよい。
【００２３】
額縁１２は、窓枠１６の四周で外壁１８から突出した上枠部２０ａ、下枠部２０ｂ及び左右の袖枠部（袖枠）２０ｃ，２０ｄを備えた枠状体である。これら壁部２０ａ〜２０ｄは、例えばアルミニウム等の金属材料を押出し成形した形材である。
【００２４】
上枠部２０ａは、上枠１６ａの上部で該上枠１６ａに沿って左右方向に延在するように設けられ、下方に突出した取付片２５を貫通した固定ねじ２７によって外壁１８の外面に固定される庇部である。上枠部２０ａの上面は、外壁１８側からその反対側の先端に向かって次第に下方に傾斜した水切り面とされている。上枠部２０ａと外壁１８との境界部分には防水用のシール材２８が設けられ、上枠１６ａと躯体１４との間には防水用のシール材２９が設けられている。シール材２８は袖枠部２０ｃ，２０ｄと外壁１８との間にも設けられており、シール材２９は下枠１６ｂ及び躯体１４との間にも設けられている。
【００２５】
下枠部２０ｂは、下枠１６ｂの下部で該下枠１６ｂに沿って左右方向に延在するように設けられ、上方に突出した取付片２５を貫通した固定ねじ２７によって外壁１８の外面に固定される水切り部である。下枠部２０ｂの上面は、外壁１８側からその反対側の先端に向かって下方に傾斜しており、良好な水切り性能を有する。
【００２６】
袖枠部２０ｃ，２０ｄは、それぞれ縦枠１６ｃ，１６ｄの側部で該縦枠１６ｃ，１６ｄに沿って上下方向に延在するように設けられ、内方に突出した取付片２６を貫通した固定ねじ２７によって外壁１８の外面に固定される袖板である。袖枠部２０ｃ，２０ｄの上端は、上枠部２０ａの上面の傾斜形状に応じて該上枠部２０ａの上端より上方に突出し、樹脂製の上部キャップ３２ａ，３２ｂが装着される。袖枠部２０ｃ，２０ｄの下端は、下枠部２０ｂの下端と略面一に設けられ、樹脂製の下部キャップ（キャップ部材）３４ａ，３４ｂが装着される。
【００２７】
次に、本実施形態に係る排水構造１０の構成及び作用について説明する。排水構造１０は、袖枠部２０ｃ，２０ｄとその下端部に装着される下部キャップ３４とで構成される。
【００２８】
図３（Ａ）は、袖枠部２０ｄの下端部に装着される下部キャップ３４ｂを上方から見た斜視図であり、図３（Ｂ）は、図３（Ａ）に示す下部キャップ３４ｂを下方から見た斜視図である。図４（Ａ）は、下部キャップ３４ａの袖枠部２０ｃへの取付状態を示す側面図であり、図４（Ｂ）は、図４（Ａ）に示す下部キャップ３４ａの正面図である。また、図５は、本実施形態に係る排水構造１０による雨水等の排水作用を示す説明図であり、図５（Ａ）は、袖枠部２０ｃの下端部に装着される下部キャップ３４ａの平面図であり、図５（Ｂ）は、図５（Ａ）に示す下部キャップ３４ａの側面図である。
【００２９】
なお、左側の袖枠部２０ｃに装着される下部キャップ３４ａと右側の袖枠部２０ｄに装着される下部キャップ３４ｂは、左右対称形状である以外は同一構造のため、以下ではまとめて下部キャップ３４と呼んで説明することがある。
【００３０】
図３（Ａ）〜図４（Ｂ）に示すように、下部キャップ３４は、平面視矩形状であって、四方の壁板３６ａ〜３６ｄと、壁板３６ａ〜３６ｄの内側に設けられた底板３６ｅとを有する容器状の内部構造を有する。下部キャップ３４は、袖枠部２０ｃ，２０ｄの下端面３８を覆うように該下端面３８に対して装着される。
【００３１】
外壁１８側に配置される壁板３６ａは、袖枠部２０ｃ，２０ｄの下端面３８に嵌合される嵌合片４０ａの一部を構成する。袖枠部２０ｃ，２０ｄの内側面に対応する壁板３６ｂは、その上端面が袖枠部２０ｃ，２０ｄの下端面３８に当接する（図４（Ａ）及び図４（Ｂ）参照）。壁板３６ｂが下端面３８に当接することにより、底板３６ｅの底面（上面）３６ｆと下端面３８との間には、底面３６ｆを基準とした壁板３６ｂの高さ分の隙間Ｇが形成される。壁板３６ｃ，３６ｄは、壁板３６ｂよりも高く起立した立上り形状を有しており、それぞれ袖枠部２０ｃ，２０ｄの下端面３８の外周縁部のうちの先端側面及び外側面を覆うように配置される（図４（Ａ）及び図４（Ｂ）参照）。
【００３２】
底面３６ｆには、外壁１８側から先端４２側に向かって５つの嵌合片４０ａ〜４０ｅが起立形成されている。嵌合片４０ａ〜４０ｅは、袖枠部２０ｃ，２０ｄの下端面３８に開口した中空部（小口）に対して嵌合される突起である。また、底面３６ｆには、中央の嵌合片４０ｃの内側に位置する部分に取付ねじ４４を挿通可能なねじ挿通孔４６が貫通形成されている。ねじ挿通孔４６を挿通した取付ねじ４４は、袖枠部２０ｃ，２０ｄの下端面３８に設けられたビスホール（図２参照）に対して螺合され、これにより下部キャップ３４が袖枠部２０ｃ，２０ｄに対して確実に固定される。
【００３３】
このような下部キャップ３４は、袖枠部２０ｃ，２０ｄの下端面３８との間に隙間Ｇを形成する底面３６ｆの四方が壁板３６ａ〜３６ｄによって囲まれている。このため、この隙間Ｇが雨水等を貯留可能且つ流通可能な排水経路Ｇとなり、例えば立上り形状である壁板３６ｃ，３６ｄと袖枠部２０ｃ，２０ｄの外面との間から浸入した雨水等はこの排水経路Ｇに流入する（図５（Ｂ）参照）。
【００３４】
そこで、底面３６ｆの外壁１８から離間した位置、本実施形態では、底面３６ｆの長手方向で中央付近と先端４２付近に、底板３６ｅを貫通する排水口４８，４９をそれぞれ設けている。
【００３５】
先端４２の排水口４９は、下部キャップ３４の内側において、壁板３６ｃの内面と底面３６ｆとの間の角隅部に接触するように開口形成されている。
【００３６】
中央の排水口４８は、ねじ挿通孔４６と重なる位置に配置され、その内側には底板３６ｅの下面３６ｇを上方に一段凹ませた段落ち部５０が設けられている。段落ち部５０にねじ挿通孔４６が設けられることにより、取付ねじ４４の頭部が当該下部キャップ３４の下面３６ｇから没した位置に配置され、外観上で目立つことがない（図１及び図５（Ｂ）参照）。
【００３７】
段落ち部５０の外壁１８側及び先端４２側の端面には、排水口４８に向かって下方に突出したリブ５１がそれぞれ設けられている。各リブ５１は、取付ねじ４４の頭部の側部を覆うように配置されているため、取付ねじ４４の頭部が外観上で一層目立たなくなる。なお、図６に示すようにリブ５１を省略すれば、排水口４８の開口面積を拡大し、排水口４８での排水性能を向上させることができる。
【００３８】
従って、下部キャップ３４を備える排水構造１０では、額縁１２が雨等に晒され、雨水等が袖枠部２０ｃ，２０ｄの外面をつたって流れ落ちた場合、袖枠部２０ｃ，２０ｄの外面と、この外面を覆うように立上がった下部キャップ３４の壁板３６ｃ，３６ｄとの間に雨水等が浸入することがある（図５（Ｂ）中の矢印Ｗ１参照）。そうすると、この浸入した水は、壁板３６ｃ，３６ｄの内面をつたって排水経路Ｇへと流入し、この排水経路Ｇにある程度貯留されると共に該排水経路Ｇ内を流通し（矢印Ｗ２参照）、各排水口４８，４９から下部キャップ３４の外部へと排出される（矢印Ｗ３参照）。
【００３９】
この際、中央の排水口４８は、段落ち部５０を挟むように排水経路Ｇの外壁１８側と先端４２側の２方向に開口しているため、段落ち部５０よりも先端４２側に流入した雨水等は２つの排水口４８，４９を介して円滑に排出される。また、段落ち部５０よりも外壁１８側に流入した雨水等は排水口４８から円滑に排出される。その結果、左右の袖枠部２０ｃ，２０ｄの外面を流れ落ちた雨水等が、下部キャップ３４の壁板３６ｃ，３６ｄと袖枠部２０ｃ，２０ｄの外面との間から外壁１８側へと溢れ出し、外壁１８を筋状に流れ落ちることを防止でき、外壁１８に筋状の汚れが付着することを抑制できる。
【００４０】
なお、上記構成では、図５（Ｂ）に示すように、下部キャップ３４の排水経路Ｇの底面３６ｆを水平方向に沿って形成しているが、底面３６ｆに代えて、図７に示すように外壁１８側から先端４２側に向かって次第に下方に傾斜した底面３６ｈを用いてもよい。この構成では、排水経路Ｇが先端４２側に向かって下がった傾斜面となるため、排水経路Ｇ内に流入した雨水等の各排水口４８，４９からの排水が一層促進される。この際、中央の排水口４８は、これより外壁１８側から流通する雨水等を排出できればよいため、外壁１８側の一方向のみに開口していればよく、先端４２側に向いた開口は省略してもよい。
【００４１】
次に、上部キャップ３２ａ，３２ｂの構成について説明する。
【００４２】
図８（Ａ）は、上部キャップ３２ｂを袖枠部２０ｄの上端部に装着した状態を示す要部拡大斜視図であり、図８（Ｂ）は、図８（Ａ）に示す上部キャップ３２ｂを下方から見た斜視図である。
【００４３】
なお、左側の袖枠部２０ｃに装着される上部キャップ３２ａと右側の袖枠部２０ｄに装着される上部キャップ３２ｂは、左右対称形状である以外は同一構造のため、以下ではまとめて上部キャップ３２と呼んで説明することがある。
【００４４】
図８（Ａ）に示すように、上枠部２０ａの上面は前下がりの傾斜面で構成されているため、袖枠部２０ｃ，２０ｄは、その上端面５４が上枠部２０ａの上面から上方に突出した状態で該上枠部２０ａと連結されている。ここで、袖枠部２０ｃ，２０ｄの内側面には、その意匠性を向上させるために木目状等の各種模様を印刷した装飾シート５６が貼着されている場合がある。そして、この装飾シート５６は、袖枠部２０ｃ，２０ｄの内側面への貼着作業等の都合上、該内側面全域に設けられていることが一般的である。つまり、当該額縁１２では、上枠部２０ａの上面から上方に突出した袖枠部２０ｃ，２０ｄの上部内側面５８にも装飾シート５６が設けられており、そのままでは外観が損なわれてしまう。
【００４５】
そこで、上部キャップ３２は、袖枠部２０ｃ，２０ｄの上端面５４の中空部（小口）を覆うと共に、上部内側面５８も覆う形状とされている。
【００４６】
図８（Ａ）及び図８（Ｂ）に示すように、上部キャップ３２は、平面視矩形状であって、四方の壁板６０ａ〜６０ｄと、壁板６０ａ〜６０ｄの内側に設けられた天板６０ｅとを有し、袖枠部２０ｃ，２０ｄの上端面５４を天板６０ｅで覆うように装着される。天板６０ｅの下面（天面）には、外壁１８側から先端側に向かって５つの嵌合片６２ａ〜６２ｅが起立形成されている。嵌合片６２ａ〜６２ｅは、袖枠部２０ｃ，２０ｄの上端面５４に開口した中空部に対して嵌合される突起である。
【００４７】
上部キャップ３２は、袖枠部２０ｃ，２０ｄの上部内側面５８に対応する壁板６０ｂが先端側に向かって次第に高さを増す形状となっており、壁板６０ｂの端面は前下がりに傾斜した上枠部２０ａの上面に沿って当接する。これにより、上部内側面５８に設けられた装飾シート５６を上部キャップ３２で完全に覆い隠すことができるため、当該額縁１２の外観が損なわれることを防止できる。なお、上部キャップ３２の壁板６０ｃ，６０ｄは、一定の立上り形状を有しており、それぞれ袖枠部２０ｃ，２０ｄの上端面５４の外周縁部のうちの先端側面及び外側面を覆うように配置される。
【００４８】
上記した通り、本実施形態に係る排水構造１０は、四方枠の額縁１２以外にも、三方枠の額縁１２ＡやＬ字枠の額縁１２Ｂに対しても適用可能である。
【００４９】
図９は、排水構造１０を備えた三方枠の額縁１２Ａの縦断面図であり、図１０は、図９に示す額縁１２Ａの横断面図である。なお、図９及び図１０に示す額縁１２Ａにおいて、図１〜図８に示される額縁１２の参照符号と同一の参照符号は、同一又は同様な構成を示し、このため同一又は同様な機能及び効果を奏するものとして詳細な説明を省略し、以下同様とする。
【００５０】
図９及び図１０に示すように、額縁１２Ａは、下枠部２０ｂを持たない以外は図１及び図２に示す額縁１２と同様な構造である。すなわち、額縁１２Ａは、上枠部２０ａ及び左右の袖枠部２０ｃ，２０ｄを窓枠１６の周囲三方の外壁１８から突出させることで正面視コの字状の枠状体を形成したものである。
【００５１】
額縁１２Ａにおいても、袖枠部２０ｃ，２０ｄの上端は、上枠部２０ａの上面の傾斜形状に応じて該上枠部２０ａの上端より上方に突出し、上部キャップ３２ａ，３２ｂが装着される。また、袖枠部２０ｃ，２０ｄの下端には、下部キャップ３４ａ，３４ｂが装着され、排水構造１０が構築される。
【００５２】
ところで、この額縁１２Ａは下枠部２０ｂを持たないため、下部キャップ３４の構造が図３等に示す額縁１２のものと多少異なる。
【００５３】
図１１（Ａ）は、図９に示す額縁１２Ａにおける袖枠部２０ｄの下端部に装着される下部キャップ３４ｂを上方から見た斜視図であり、図１１（Ｂ）は、図１１（Ａ）に示す下部キャップ３４ｂを下方から見た斜視図である。図１２は、図９に示す額縁１２Ａの一部切断斜視図である。図１３は、図９に示す袖枠部２０ｃの下部を拡大した正面図である。
【００５４】
額縁１２Ａは下枠部２０ｂを持たないため、袖枠部２０ｃ，２０ｄから内方に突出した取付片２６のエッジが外観上に露出する。そこで、図１１（Ａ）〜図１３に示すように、額縁１２Ａに装着される下部キャップ３４の外壁１８側の側部には、内方に突出したカバー片６６が設けられている。
【００５５】
図１０、図１２及び図１３に示すように、カバー片６６は、取付片２６を下方から覆うことで取付片２６の下端面のエッジが外部に露出することを防止するカバーである。
【００５６】
本実施形態の場合、カバー片６６の根元部分に折り取り用の溝部６６ａを設けている（図１１（Ｂ）参照）。つまり、下部キャップ３４は、カバー片６６を設けた状態のままでは三方枠の額縁１２Ａ（及びＬ字枠の額縁１２Ｂ）に利用でき、溝部６６ａからカバー片６６を折り取り除去すると四方枠の額縁１２に利用することができるため、汎用性が高い。
【００５７】
図１４は、上記した下部キャップ３４の変形例に係る下部キャップ７０の構成図であり、図１４（Ａ）は、変形例に係る下部キャップ７０を上方から見た斜視図であり、図１４（Ｂ）は、図１４（Ａ）に示す下部キャップ７０の側面図である。
【００５８】
図１４（Ａ）及び図１４（Ｂ）に示すように、下部キャップ（キャップ部材）７０は、図１１（Ａ）に示す下部キャップ３４（３４ａ，３４ｂ）の外壁１８側の左右側部から水切り部７２，７３をそれぞれ突出させた構造である。なお、図１４では、一方の袖枠部２０ｃ側に装着される下部キャップ３４ａの代替となる下部キャップ７０を例示しているが、この下部キャップ７０を左右対称構造とすれば、他方の袖枠部２０ｄ側に装着される下部キャップ３４ｂの代替となる。
【００５９】
壁板３６ｄ側に設けられ、袖枠部２０ｃ，２０ｄの外側面側から突出した水切り部７２は、袖枠部２０ｃ，２０ｄの外側面及びこれに近接する外壁１８をつたって落ちる雨水等を外壁１８から離間した前方に誘導して流し落とし、外壁１８に筋状の汚れが付着することを防止するものである。また、壁板３６ｂ側に設けられ、袖枠部２０ｃ，２０ｄの内側面側から突出した水切り部７３は、袖枠部２０ｃ，２０ｄの内側面及び取付片２６等をつたって落ちる雨水等を外壁１８から離間した前方に誘導して流し落とし、外壁１８に筋状の汚れが付着することを防止するものである。これら水切り部７２，７３を備えた下部キャップ７０を、上記した下部キャップ３４ａ，３４ｂに代えて用いると、建物１４の外壁１８に雨水等がつたうことによる筋状の汚れの付着を一層抑制することができる。
【００６０】
図１４（Ａ）から明らかなように、一方の水切り部７３は、カバー片６６を折り取った場合に一体的に取り外されるが、他方の水切り部７２はそのまま残る。このため、水切り部７２を設けた下部キャップ７０を図１等に示す四方枠の額縁１２に用いることもできる。
【００６１】
図１５は、排水構造１０を備えたＬ字枠の額縁１２Ｂの横断面図である。
【００６２】
図１５に示すように、額縁１２Ｂは、一方の袖枠部２０ｄを持たない以外は図９及び図１０に示す額縁１２Ａと同様な構造である。すなわち、額縁１２Ｂは、上枠部２０ａ及び左側の袖枠部２０ｃを窓枠１６の周囲二方の外壁１８から突出させることで正面視Ｌ字状の枠状体を形成したものである。
【００６３】
額縁１２Ｂにおいても、袖枠部２０ｃの上端は、上枠部２０ａの上面の傾斜形状に応じて該上枠部２０ａの上端より上方に突出し、上部キャップ３２ａが装着される。また、袖枠部２０ｃの下端には、下部キャップ３４ａが装着され、排水構造１０が構築される。但し、この額縁１２Ｂでは袖枠部２０ｃを持たないため、上枠部２０ａの右側の端面（小口）を覆う側部キャップ７６をねじ７８を用いて該上枠部２０ａに装着している。
【００６４】
以上のように、本実施形態に係る排水構造１０では、袖枠部２０ｃ（２０ｄ）を形材で構成すると共に、その下端面３８を覆うように装着され、該下端面３８の外周縁部の少なくとも一部を覆う立上り形状を有する下部キャップ３４ａ（３４ｂ，７０）を備える。この下部キャップ３４ａ（３４ｂ，７０）は、その底面３６ｆが袖枠部２０ｃ（２０ｄ）の下端面３８との間に隙間Ｇを介して配置されることで水を流通可能な排水経路Ｇを内部に有し、下部キャップ３４ａ（３４ｂ，７０）の底面３６ｆの外壁１８から離間した位置には、排水経路Ｇ内の水を外部に排出するための排水口４８，４９が設けられている。
【００６５】
従って、袖枠部２０ｃ（２０ｄ）の外面をつたって流れ落ちた雨水等が、袖枠部２０ｃ（２０ｄ）の外面と下部キャップ３４の立上り形状（壁板３６ｃ，３６ｄ）との間に浸入した場合であっても、この浸入した雨水等を隙間Ｇによって形成した排水経路Ｇを流通させ、外壁１８から離間した位置で排水口４８，４９から外部に排出させることができる。このため、袖枠部２０ｃ（２０ｄ）の外面と下部キャップ３４の立上り形状（壁板３６ｃ，３６ｄ）との間に浸入した雨水等が外壁１８側へと溢れ出し、外壁１８を筋状に流れ落ちることを防止でき、外壁１８に筋状の汚れが付着することを抑制できる。
【００６６】
また、排水構造１０では、下部キャップ３４ａ（３４ｂ，７０）は、底面３６ｆを貫通した取付ねじ４４によって袖枠部２０ｃ（２０ｄ）の下端面３８に対して固定され、下部キャップ３４ａ（３４ｂ，７０）の下面３６ｇには、上方に凹むことで取付ねじ４４の頭部を収容する段落ち部５０が設けられると共に、該段落ち部５０に排水口４８を設けている。このため、取付ねじ４４が外観上で見え難くなり、額縁１２（１２Ａ，１２Ｂ）の意匠性が向上する。しかも、段落ち部５０に排水口４８を設けることで、下部キャップ３４ａ（３４ｂ，７０）の取付ねじ４４を挿通させる部分を排水口４８に兼用できるため、排水口の設置数を実質的に低減することができ、意匠性が一層向上する。
【００６７】
なお、本発明は、上記した実施形態に限定されるものではなく、本発明の主旨を逸脱しない範囲で自由に変更できることは勿論である。
【符号の説明】
【００６８】
１０  排水構造、１２，１２Ａ，１２Ｂ  額縁、１４  建物、１４ａ  開口部、１６  窓枠、１６ａ  上枠、１６ｂ  下枠、１６ｃ，１６ｄ  縦枠、２０ａ  上枠部、２０ｂ  下枠部、２０ｃ，２０ｄ  袖枠部、２５，２６  取付片、２８，２９  シール材、３２ａ，３２ｂ  上部キャップ、３４ａ，３４ｂ，７０  下部キャップ、３６ａ〜３６ｄ，６０ａ〜６０ｄ  壁板、３６ｅ  底板、３６ｆ，３６ｈ  底面、３６ｇ  下面、３８  下端面、４０ａ〜４０ｅ，６２ａ〜６２ｅ  嵌合片、４２  先端、４４  取付ねじ、４６  ねじ挿通孔、４８，４９  排水口、５０  段落ち部、５１  リブ、５４  上端面、５６  装飾シート、５８  上部内側面、６０ｅ  天板、６６  カバー片、６６ａ  溝部、７２，７３  水切り部、Ｇ  隙間（排水経路）
【図１】
0006431414.tif 000002
【図２】
0006431414.tif 000003
【図３】
0006431414.tif 000004
【図４】
0006431414.tif 000005
【図５】
0006431414.tif 000006
【図６】
0006431414.tif 000007
【図７】
0006431414.tif 000008
【図８】
0006431414.tif 000009
【図９】
0006431414.tif 000010
【図１０】
0006431414.tif 000011
【図１１】
0006431414.tif 000012
【図１２】
0006431414.tif 000013
【図１３】
0006431414.tif 000014
【図１４】
0006431414.tif 000015
【図１５】
0006431414.tif 000016